(57)【要約】【課題】  簡易な構成により、給水配管の給水を止めることのできる止水栓とその止水栓を用いた給水配管系とその給水配管の埋設方法とその給水配管を処置するための工事方法とを提供しようとする。【解決手段】  従来の本管から給水をするための給水配管系にかえて、本管から枝分かれした給水配管と、前記給水配管の途中に設けられる止水栓と、を備え、前記止水栓が、磁性部材を含む弁体と、前記弁体を該上方空間の側と該下方空間の側との間で移動自在に案内して内部に収納する空隙と前記流入口を該空隙に連通する流入路と前記流出口を該空隙に壁面に設けられた流出用開口を通して連通する流出路とを持つ弁箱と、を有し、前記弁体が前記上方空間の側に位置すると前記弁体が前記流入路から前記流出用開口を通して前記流出路へ液体が流れるのを阻止する、ものであるとした。【選択図】    図２
2007182940.tif 000002
【特許請求の範囲】
【請求項１】
流入口から流出口への液体の流れを許しまた止めることをできる止水栓であって、
磁性体でできた磁性部材を持つ弁体と、
上下方向に区画される上方空間と下方空間とを持ち前記弁体を該上方空間の側と該下方空間の側との間で移動自在に案内して内部に収納する空隙と流入口を該空隙に連通する流入路と流出口を該空隙に前記上方空間を形成する壁面に設けられた流出用開口を通して連通する流出路とを有する弁箱と、
を備え、
前記弁体が前記下方空間の側に位置すると液体を前記流入路から前記流出用開口を通して前記流出路へ流すことをでき、
前記弁体が前記上方空間の側に位置すると前記弁体が前記流入路から前記流出用開口を通して前記流出路へ液体が流れるのを阻止する、
ことを特徴とする止水栓。
【請求項２】
前記壁面の前記流出用開口を囲う環状部が前記弁体の外形の一部に嵌まり合う弁座を形成する、
ことを特徴とする請求項１に記載の止水栓。
【請求項３】
前記壁面の前記流出用開口を囲う環状部が前記弁体の外形の一部に嵌まり合う凹んだ弁座を形成する、
ことを特徴とする請求項１に記載の止水栓。
【請求項４】
磁性体でできた柱状の部材である柱状磁性部材を持つ補助部材を、
備え、
前記補助部材が、前記柱状磁性部材の下端を前記弁箱の上方に位置し、かつ前記柱状磁性部材の上端を地面または地面の近傍に位置して埋設可能である、
ことを特徴とする請求項１に記載の止水栓。
【請求項５】
本管から給水をするための給水配管系であって、
本管から枝分かれした給水配管と、
前記給水配管の途中に設けられ流入口から流出口への液体の流れを許しまた止めることをできる止水栓と、
を備え、
前記止水栓が、磁性体でできた磁性部材を含む弁体と、
上下方向に区画される上方空間と下方空間とを含み前記弁体を該上方空間の側と該下方空間の側との間で移動自在に案内して内部に収納する空隙と前記流入口を該空隙に連通する流入路と前記流出口を該空隙に前記上方空間を形成する壁面に設けられた流出用開口を通して連通する流出路とを持つ弁箱と、
を有し、
前記弁体が前記下方空間の側に位置すると液体を前記流入路から前記流出用開口を通して前記流出路へ流すことをでき、
前記弁体が前記上方空間の側に位置すると前記弁体が前記流入路から前記流出用開口を通して前記流出路へ液体が流れるのを阻止する、ものである、
ことを特徴とする給水配管系。
【請求項６】
前記止水栓が磁性体でできた柱状の部材である柱状磁性部材を持つ補助部材を有し、
前記補助部材が、前記柱状磁性部材の下端を前記弁箱の上方に位置し、かつ前記柱状磁性部材の上端を地面または地面の近傍に位置して埋設可能である、
ことを特徴とする請求項５に記載の給水配管系。
【請求項７】
給水のための本管から枝分かれした給水配管を地中に埋設するための埋設方法であって、
流入口から流出口への液体の流れを許しまた止めることをできる止水栓を準備する準備工程と、
本管から枝分かれした給水配管の途中に前記止水栓を設ける設置工程と、
本管と止水栓と給水配管とを地中に埋める盛土工程と、
を備え、
前記止水栓が、磁性体でできた磁性部材を含む弁体と、上下方向に区画される上方空間と下方空間とを含み前記弁体を該上方空間の側と該下方空間の側との間で移動自在に案内して内部に収納する空隙と流入口を該空隙に連通する流入路と流出口を該空隙に前記上方空間を形成する壁面に設けられた流出用開口を通して連通する流出路とを持つ弁箱と、を有し、
前記弁体が前記下方空間の側に位置すると液体を前記流入路から前記流出用開口を通して前記流出路へ流すことをでき、
前記弁体が前記上方空間の側に位置すると前記弁体が前記流入路から前記流出用開口を通して前記流出路へ液体が流れるのを阻止する、ものである、
ことを特徴とする埋設方法。
【請求項８】
止水栓の埋まっている位置の上方に磁石を置く閉止工程を備え、
前記盛土工程の途中に前記閉止工程を実施する、
ことを特徴とする請求項７に記載の埋設方法。
【請求項９】
前記止水栓が磁性体でできた柱状の部材である柱状磁性部材を持つ補助部材を有し、
前記盛土工程が、前記柱状磁性部材の下端を前記弁箱の上方に位置し、かつ前記柱状磁性部材の上端を地面または地面の近傍に位置して前記補助部材を埋める、
ことを特徴とする請求項７に記載の埋設方法。
【請求項１０】
地中に埋設され給水のための本管から枝分かれして途中に流入口から流出口への液体の流れを許しまた止めることをできる止水栓を設けられた給水配管を処置するための工事方法であって、
止水栓の埋まっている位置の上方に磁石を置く閉止工程を備え、
前記止水栓が、磁性体でできた磁性部材を含む弁体と、上下方向に区画される上方空間と下方空間とを含み前記弁体を該上方空間の側と該下方空間の側との間で移動自在に案内して内部に収納する空隙と流入口を該空隙に連通する流入路と流出口を該空隙に前記上方空間を形成する壁面に設けられた流出用開口を通して連通する流出路とを持つ弁箱と、を有し、
前記弁体が前記下方空間の側に位置すると液体を前記流入路から前記流出用開口を通して前記流出路へ流すことをでき、
前記弁体が前記上方空間の側に位置すると前記弁体が前記流入路から前記流出用開口を通して前記流出路へ液体が流れるのを阻止する、ものである、
ことを特徴とする工事方法。
【請求項１１】
給水配管を処置する処置工程を備え、
前記閉止工程の途中に前記処理工程を実施する、
ことを特徴とする請求項１０に記載に工事方法。
【請求項１２】
本管への給水を一端停止した後に本管への給水を再開する復旧工程を備え、
前記復旧工程を前記閉止工程の後で実施する、
ことを特徴とする請求項１０に記載の工事方法。
【請求項１３】
前記止水栓が磁性体でできた柱状の部材である柱状磁性部材を持つ補助部材を有し、
前記補助部材が、前記柱状磁性部材の下端を前記弁箱の上方に位置して、かつ前記柱状磁性部材の上端を地面または地面の近傍に位置して埋められている、
ことを特徴とする請求項１０に記載の工事方法。
【発明の詳細な説明】
【技術分野】
【０００１】
本発明は、本管から給水のために分岐する給水配管系とそれに用いる止水栓とその埋設方法とその工事方法に係る。特に、給水配管系を止水するための構造とその方法に特徴のある止水栓と給水配管系とその埋設方法とその工事方法とに関する。
【背景技術】
【０００２】
例えば、家庭等に給水するのに給水配管系を使用する。
以下に、従来の給水配管系の構造を、図を基に、説明する。
図１６は、従来の給水配管系の概念図である。
給水配管系は、元栓１０と本管２０と分水栓３０と給水配管５０と建屋側止水栓６０とメーター７０で構成される。
元栓１０は、本管２０に供給する給水の根元に設置される開閉栓である。通例、元栓は、地表から簡易に操作できる様に設置されている。
本管２０は、元栓１０から複数の家屋等に沿って設置された給水管である。一般に、本管は、複数の家屋に沿った道路等の地下に埋設されている。
分水栓３０は、本管２０に設けられ、給水を枝分かれさせる栓である。
給水配管５０は、分水栓３０と建屋側止水栓６０とを連通する給水用の配管である。
建屋側止水栓６０は、例えば、個々の家屋に対して一個ずつ設けられる。
家屋内の配管は、建屋側止水栓６０に接続され、メーター７０を介して家屋内に配管される。
【０００３】
分水栓３０の一例は、サドル分水栓である。
サドル分水栓は、本管にサドル状の部材により取り付けられ、回転自在になった弁体３２を持っている。
弁体３２は、いわゆるボール弁である。
弁体３２を回転すると、分水栓３０の状態を開状態と閉状態の間で状態変化させることをできる。開状態では、給水が本管から給水配管へ流れる。閉状態では、給水が本管から給水配管へ流れなくなる。
分水栓３０を本管２０に取り付ける工事をする際に、分水栓３０の状態を閉状態にする。分水栓３０の取り付け工事が完了すると、分水栓の状態はを開状態にする。
工事を終了すると、分水栓３０は、開状態のまま土中に埋設される。
【０００４】
ところで、宅地造成等の工事をした際に、地中に埋設されている給水配管を損傷させてしまうことがある。給水が、給水配管の損傷した箇所から漏水する。
この様な状態になると、漏水を止めるために、給水配管を修理する必要が生じる。
給水配管の工事をするには、分水栓を盛り起こして、分水栓の状態を閉状態にした後で、給水配管を修理する。給水配管の修理が完了すると、分水栓の状態を開状態に戻した後で、分水栓を埋め戻す。
【０００５】
漏水を止めるのに、給水配管を掘り起こして、給水配管の一部を潰す場合もある、この場合は、給水配管の損傷が大きくなるので、その後の各種の施工をおこなう際に、工事が大掛かりになったり、工事後の水の出が悪化するなどの不具合を生ずることがある。
【０００６】
【特許文献１】特開２０００−３７４３２８号
【特許文献２】特開２００４−０１９９３３号
【発明の開示】
【発明が解決しようとする課題】
【０００７】
本発明は以上に述べた問題点に鑑み案出されたもので、簡易な構成により、給水配管の給水を止めることのできる止水栓とその止水栓を用いた給水配管系とその給水配管の埋設方法とその給水配管を処置するための工事方法とを提供しようとする。
【課題を解決するための手段】
【０００８】
上記目的を達成するため、本発明に係る流入口から流出口への液体の流れを許しまた止めることをできる止水栓を、磁性体でできた磁性部材を持つ弁体と、上下方向に区画される上方空間と下方空間とを持ち前記弁体を該上方空間の側と該下方空間の側との間で移動自在に案内して内部に収納する空隙と流入口を該空隙に連通する流入路と流出口を該空隙に前記上方空間を形成する壁面に設けられた流出用開口を通して連通する流出路とを有する弁箱と、を備え、前記弁体が前記下方空間の側に位置すると液体を前記流入路から前記流出用開口を通して前記流出路へ流すことをでき、前記弁体が前記上方空間の側に位置すると前記弁体が前記流入路から前記流出用開口を通して前記流出路へ液体が流れるのを阻止する、ものとした。
【０００９】
上記本発明の構成により、前記弁体が磁性体でできた磁性部材を持つ。前記空隙が、上下方向に区画される上方空間と下方空間とを持ち、前記弁体を該上方空間の側と該下方空間の側との間で移動自在に案内して内部に収納する。前記流入路が、流入口を該空隙に連通する。前記流出路が、流出口を該空隙に前記上方空間を形成する壁面に設けられた流出用開口を通して連通する。前記弁体が前記下方空間の側に位置すると液体を前記流入路から前記流出用開口を通して前記流出路へ流すことをできる。前記弁体が前記上方空間の側に位置すると前記弁体が前記流入路から前記流出用開口を通して前記流出路へ液体が流れるのを阻止する。
その結果、弁体が重力により前記下方空間の側に位置すると液体を流すことをでき、弁体が磁力により前記上方空間の側に位置すると液体を止めることをできる。
【００１０】
以下に、本発明の実施形態に係るいくつかの止水栓を説明する。本発明は、以下に記載した実施形態のいずれか、またはそれらの中の二つ以上が組み合わされた態様を含む。
【００１１】
本発明の実施形態に係る止水栓は、前記壁面の前記流出用開口を囲う環状部が前記弁体の外形の一部に嵌まり合う弁座を形成する。
上記実施形態の構成により、前記壁面の前記流出用開口を囲う環状部の弁座が、前記弁体の外形の一部に嵌まり合う。
その結果、弁体が磁力により前記上方空間の側に位置すると、給水の圧力により押される弁体の外形の一部が弁座に嵌まり合い、液体を止めることをできる。
【００１２】
本発明の実施形態に係る止水栓は、前記壁面の前記流出用開口を囲う環状部が前記弁体の外形の一部に嵌まり合う凹んだ弁座を形成する。
上記実施形態の構成により、前記壁面の前記流出用開口を囲う環状部の凹んだ弁座が、前記弁体の外形の一部に嵌まり合う。
その結果、弁体が磁力により前記上方空間の側に位置すると、給水の圧力により押される弁体の外形の一部が弁座に嵌まり合い、磁力が無くなっても、前記弁体が上方空間に留まり、液体を止めることをできる。
【００１３】
本発明の実施形態に係る止水栓は、磁性体でできた柱状の部材である柱状磁性部材を持つ補助部材を、備え、前記補助部材が、前記柱状磁性部材の下端を前記弁箱の上方に位置し、かつ前記柱状磁性部材の上端を地面または地面の近傍に位置して埋設可能である。
上記実施形態の構成により、前記止水栓を埋設した状態で、前記柱状磁性部材の下端を前記弁箱の上方に位置し、かつ前記柱状磁性部材の上端を地面または地面の近傍に位置する。
その結果、磁石を前記柱状磁性部材の上端の近傍に置くと、前記柱状磁性部材が磁化して前記弁体に磁力を作用させ、弁体が磁力により前記上方空間の側に位置する。
【００１４】
上記目的を達成するため、本発明に係る給水のための本管から給水をするための給水配管系を、本管から枝分かれした給水配管と、前記給水配管の途中に設けられ流入口から流出口への液体の流れを許しまた止めることをできる止水栓と、を備え、前記止水栓が、磁性体でできた磁性部材を含む弁体と、上下方向に区画される上方空間と下方空間とを含み前記弁体を該上方空間の側と該下方空間の側との間で移動自在に案内して内部に収納する空隙と前記流入口を該空隙に連通する流入路と前記流出口を該空隙に前記上方空間を形成する壁面に設けられた流出用開口を通して連通する流出路とを持つ弁箱と、を有し、前記弁体が前記下方空間の側に位置すると液体を前記流入路から前記流出用開口を通して前記流出路へ流すことをでき、前記弁体が前記上方空間の側に位置すると前記弁体が前記流入路から前記流出用開口を通して前記流出路へ液体が流れるのを阻止する、ものであるとした。
【００１５】
上記本発明の構成により、前記給水配管が本管から枝分かれする。前記止水栓が、前記給水配管の途中に設けられ流入口から流出口への液体の流れを許しまた止めることをできる。前記弁体が、磁性体でできた磁性部材を含む。前記空隙が、上下方向に区画される上方空間と下方空間とを含み、前記弁体を該上方空間の側と該下方空間の側との間で移動自在に案内して内部に収納する。前記流入路が、前記流入口を該空隙に連通する。前記流出路が、前記流出口を該空隙に前記上方空間を形成する壁面に設けられた流出用開口を通して連通する。前記弁体が前記下方空間の側に位置すると液体を前記流入路から前記流出用開口を通して前記流出路へ流すことをできる。前記弁体が前記上方空間の側に位置すると前記弁体が前記流入路から前記流出用開口を通して前記流出路へ液体が流れるのを阻止する。
その結果、弁体が重力により前記下方空間の側に位置すると液体を流して給水配管に給水をすることをでき、弁体が磁力により前記上方空間の側に位置すると液体を止めて、給水配管の給水を止めることをできる。
【００１６】
本発明の実施形態に係る給水配管系は、前記止水栓が磁性体でできた柱状の部材である柱状磁性部材を持つ補助部材を有し、前記補助部材が、前記柱状磁性部材の下端を前記弁箱の上方に位置し、かつ前記柱状磁性部材の上端を地面または地面の近傍に位置して埋設可能である。
上記実施形態の構成により、前記止水栓を埋設した状態で、前記柱状磁性部材の下端を前記弁箱の上方に位置し、かつ前記柱状磁性部材の上端を地面または地面の近傍に位置する。
その結果、磁石を前記柱状磁性部材の上端の近傍に置くと、前記柱状磁性部材が磁化して前記弁体に磁力を作用させ、弁体が磁力により前記上方空間の側に位置する。
【００１７】
上記目的を達成するため、本発明に係る給水のための本管から枝分かれした給水配管を地中に埋設するための埋設方法を、流入口から流出口への液体の流れを許しまた止めることをできる止水栓を準備する準備工程と、本管から枝分かれした給水配管の途中に前記止水栓を設ける設置工程と、本管と止水栓と給水配管とを地中に埋める盛土工程と、を備え、前記止水栓が、磁性体でできた磁性部材を含む弁体と、上下方向に区画される上方空間と下方空間とを含み前記弁体を該上方空間の側と該下方空間の側との間で移動自在に案内して内部に収納する空隙と流入口を該空隙に連通する流入路と流出口を該空隙に前記上方空間を形成する壁面に設けられた流出用開口を通して連通する流出路とを持つ弁箱と、を有し、前記弁体が前記下方空間の側に位置すると液体を前記流入路から前記流出用開口を通して前記流出路へ流すことをでき、前記弁体が前記上方空間の側に位置すると前記弁体が前記流入路から前記流出用開口を通して前記流出路へ液体が流れるのを阻止する、ものである、とした。
【００１８】
上記本発明の構成により、前記設置工程で、本管から枝分かれした給水配管の途中に前記止水栓を設ける。前記盛土工程で、本管と止水栓と給水配管とを地中に埋める。前記弁体が、磁性体でできた磁性部材を含む。前記空隙が、上下方向に区画される上方空間と下方空間とを含み、前記弁体を該上方空間の側と該下方空間の側との間で移動自在に案内して内部に収納する。前記流入路が、前記流入口を該空隙に連通する。前記流出路が、前記流出口を該空隙に前記上方空間を形成する壁面に設けられた流出用開口を通して連通する。前記弁体が前記下方空間の側に位置すると液体を前記流入路から前記流出用開口を通して前記流出路へ流すことをできる。前記弁体が前記上方空間の側に位置すると前記弁体が前記流入路から前記流出用開口を通して前記流出路へ液体が流れるのを阻止する。その結果、前記弁体が重力により前記下方空間の側に位置すると給水をし、前記弁体が磁力により前記上方空間の側に位置すると、給水を止めることをできる給水配管系を埋設することをできる。
【００１９】
以下に、本発明の実施形態に係るいくつかの埋設方法を説明する。本発明は、以下に記載した実施形態のいずれか、またはそれらの中の二つ以上が組み合わされた態様を含む。
【００２０】
本発明の実施形態に係る埋設方法は、止水栓の埋まっている位置の上方に磁石を置く閉止工程と、を備え、前記盛土工程の途中に前記閉止工程を実施する。
上記実施形態の構成により、前記盛土工程の途中に止水栓の埋まっている位置の上方に磁石を置く。
その結果、盛り土する際に、給水配管の給水を止めることをできる。
【００２１】
本発明の実施形態に係る埋設方法は、前記止水栓が磁性体でできた柱状の部材である柱状磁性部材を持つ補助部材を有し、
前記盛土工程が、前記柱状磁性部材の下端を前記弁箱の上方に位置し、かつ前記柱状磁性部材の上端を地面または地面の近傍に位置して前記補助部材を埋める、
上記実施形態の構成により、前記止水栓を埋設した状態で、前記柱状磁性部材の下端を前記弁箱の上方に位置し、かつ前記柱状磁性部材の上端を地面または地面の近傍に位置する。
その結果、磁石を前記柱状磁性部材の上端の近傍に置くと、前記柱状磁性部材が磁化して前記弁体に磁力を作用させ、弁体が磁力により前記上方空間の側に位置する。
【００２２】
上記目的を達成するため、本発明に係る地中に埋設され給水のための本管から枝分かれして途中に流入口から流出口への液体の流れを許しまた止めることをできる止水栓を設けられた給水配管を処置するための工事方法を、止水栓の埋まっている位置の上方に磁石を置く閉止工程と、備え、前記止水栓が、磁性体でできた磁性部材を含む弁体と、上下方向に区画される上方空間と下方空間とを含み前記弁体を該上方空間の側と該下方空間の側との間で移動自在に案内して内部に収納する空隙と流入口を該空隙に連通する流入路と流出口を該空隙に前記上方空間を形成する壁面に設けられた流出用開口を通して連通する流出路とを持つ弁箱と、を有し、前記弁体が前記下方空間の側に位置すると液体を前記流入路から前記流出用開口を通して前記流出路へ流すことをでき、前記弁体が前記上方空間の側に位置すると前記弁体が前記流入路から前記流出用開口を通して前記流出路へ液体が流れるのを阻止する、ものであるとした。
【００２３】
上記本発明の構成により、前記閉止工程で、止水栓の埋まっている位置の上方に磁石を置く。前記弁体が、磁性体でできた磁性部材を含む。前記空隙が、上下方向に区画される上方空間と下方空間とを含み、前記弁体を該上方空間の側と該下方空間の側との間で移動自在に案内して内部に収納する。前記流入路が、前記流入口を該空隙に連通する。前記流出路が、前記流出口を該空隙に前記上方空間を形成する壁面に設けられた流出用開口を通して連通する。前記弁体が前記下方空間の側に位置すると液体を前記流入路から前記流出用開口を通して前記流出路へ流すことをできる。前記弁体が前記上方空間の側に位置すると前記弁体が前記流入路から前記流出用開口を通して前記流出路へ液体が流れるのを阻止する。
その結果、通常は弁体が重力により前記下方空間の側に位置すると給水配管に給水をすることをでき、前記閉止工程では弁体が磁力により前記上方空間の側に位置して給水配管の給水を止めることをできる。
【００２４】
以下に、本発明の実施形態に係るいくつかの工事方法を説明する。本発明は、以下に記載した実施形態のいずれか、またはそれらの中の二つ以上が組み合わされた態様を含む。
【００２５】
本発明の実施形態に係る工事方法は、給水配管を処置する処置工程と、備え、前記閉止工程の途中に前記処理工程を実施する、
上記実施形態の構成により、前記処置工程では、給水配管を処置する。前記閉止工程の途中に前記処理工程を実施する。
その結果、給水配管の給水を止めて、給水配管の処理をすることをできる。
【００２６】
以下に、本発明の実施形態に係るいくつかの工事方法を説明する。本発明は、以下に記載した実施形態のいずれか、またはそれらの中の二つ以上が組み合わされた態様を含む。
【００２７】
本発明の実施形態に係る工事方法は、本管への給水を一端停止した後に本管への給水を再開する復旧工程を、備え、前記復旧工程を前記閉止工程の後で実施する、
上記実施形態の構成により、復旧工程で、本管への給水を一端停止した後に本管への給水を再開する。前記復旧工程を前記閉止工程の後で実施する。
その結果、給水の圧力を受けて弁体が流出用開口におしつけられている場合でも、給水の圧力が小さくなり、重力を受けた弁体が下方空間の側へ移動して給水配管が給水をする。
【００２８】
本発明の実施形態に係る工事方法は、前記止水栓が磁性体でできた柱状の部材である柱状磁性部材を持つ補助部材を有し、
前記補助部材が、前記柱状磁性部材の下端を前記弁箱の上方に位置して、かつ前記柱状磁性部材の上端を地面または地面の近傍に位置して埋められている。
その結果、前記閉止工程において、磁石を前記柱状磁性部材の上端の近傍に置くと、前記柱状磁性部材が磁化して前記弁体に磁力を作用させ、弁体が磁力により前記上方空間の側に位置する。
【発明の効果】
【００２９】
以上説明したように本発明に係る止水栓とその止水栓を用いた給水配管系は、その構成により、以下の効果を有する。
磁性部材を持った弁体を空隙のなかで上方空間と下方空間の間で上下方向に移動できる様にし、弁体が上方空間に位置すると前記弁体が前記流入路から前記流出用開口を通して前記流出路へ液体が流れるのを阻止する様にしたので、弁体が重力により前記下方空間の側に位置すると液体を流すことをでき、弁体が磁力により前記上方空間の側に位置すると液体を止めることをできる。
また、前記壁面の前記流出用開口を囲う環状部の凹んだ弁座が前記弁体の外形の一部に嵌まり合う様にしたので、弁体が磁力により前記上方空間の側に位置すると、給水の圧力により押される弁体の外形の一部が弁座に嵌まり合う様にしたので、液体を止めることをできる。
また、壁面の前記流出用開口を囲う環状部の凹んだ弁座が、前記弁体の外形の一部に嵌まり合う様にしたので、弁体が磁力により前記上方空間の側に位置すると、給水の圧力により押される弁体の外形の一部が弁座に嵌まり合い、磁力が無くなっても、前記弁体が上方空間に留まり、液体を止めることをできる。
また、前記止水栓が埋まった状態で、磁石を前記柱状磁性部材の上端の近傍に置くと、前記柱状磁性部材が磁化して前記弁体に磁力を作用させ、弁体が磁力により前記上方空間の側に位置する。
【００３０】
以上説明したように本発明に係るその止水栓を用いた給水配管系の埋設方法と工事方法とは、その構成により、以下の効果を有する。
磁性部材を持った弁体を空隙のなかで上方空間と下方空間の間で上下方向に移動できる様にしした止水栓を準備し、本管から枝分かれした給水配管の途中に前記止水栓を設け、本管と止水栓と給水配管とを地中に埋める様にしたので、弁体が重力により前記下方空間の側に位置すると給水をし、弁体が磁力により前記上方空間の側に位置すると、給水を止めることをできる給水配管系を埋設することをできる。
また、本管と止水栓と給水配管とを地中に埋める工事の途中で止水栓の埋まっている位置の上方に磁石を置く様にするので、盛り土する際に給水配管の給水を止めることをできる。
また、磁性部材を持った弁体を空隙のなかで上方空間と下方空間の間で上下方向に移動できる様にした止水栓の埋まっている位置の上に磁石を置く様にしたので、弁体が磁力により前記上方空間の側に位置して給水配管の給水を止めることをできる。
また、止水栓の埋まっている位置の上に磁石を置いて給水配管を処置する様にしたので、給水配管の給水を止めて、給水配管の処理をすることをできる。
また、弁体が上方空間の側に位置しているときに、本管への給水を一端停止した後に本管への給水を再開する様にしたので、給水の圧力を受けて弁体が流出用開口におしつけられている場合でも、給水の圧力が小さくなり、重力を受けた弁体が下方空間の側へ移動して給水配管が給水をする。
また、前記止水栓が埋まった状態で、磁石を前記柱状磁性部材の上端の近傍に置くと、前記柱状磁性部材が磁化して前記弁体に磁力を作用させ、弁体が磁力により前記上方空間の側に位置する。
【発明を実施するための最良の形態】
【００３１】
以下、本発明を実施するための最良の形態を、図面を参照して説明する。
【００３２】
本発明の第一の実施形態に係る給水配管系を、図を基に、説明する。
図１は、本発明の第一の実施形態に係る給水配管系のライン系統図である。図２は、本発明の第一の実施形態に係る給水配管系の概念図である。
【００３３】
第一の実施形態に係る給水配管系は、給水のための本管２０から建屋８０に給水をするための給水配管系であって、元栓１０と本管２０と分水栓３０と止水栓４０と給水配管５０と建屋側止水栓６０とメーター７０とで構成される。
【００３４】
元栓１０は、本管２０の根本に設けられる栓である。通常、元栓１０は、開いている。元栓１０を閉じると、本管への給水の供給が停止する。元栓１０は、容易に開閉をできる様に、設けられる。たとえば、元栓１０は、ふた付きの箱に収められる。蓋を開けると、容易に、元栓１０を開閉できる。
【００３５】
本管２０は、給水をするための配管である。通常、本管２０は、道路等の地下に埋設される。
複数の給水配管５０が、本管２０から枝分かれする。
【００３６】
分水栓３０は、本管２０に取り付けられ、本管２０から給水を枝分かれさせる栓である。
分水栓３０は、弁箱３１と弁体３２と弁体軸３３とサドル３４とで構成される。
弁箱３１は、本管２０の側面にあけられた貫通穴を覆って設けられる。弁箱３１の流路が貫通穴に連通する。
弁体３２は、弁箱３１の流路に回転自在に設けられる。弁体を回転させると、弁箱３１の流路を開いたり閉じたりできる。  
弁体軸３３は、弁体３２を回転させるための軸である。弁体軸３３の端部が、弁箱３１を貫通し、露出する。
サドル３４は、弁箱３１を本管２０に固定する部材であり、上部サドル３４ａと下部サドル３４ｂとで構成される。
上部サドル３４ａが、弁箱３１を本管２０に押し付ける。
上部サドル３４ａと下部サドル３４ｂとが、本管２０を跨いで互いにボルトで固定される。
分水栓３０を本管に取り付ける際に、流路を閉じている。
分水栓３０に、止水栓４０と給水配管５０と建屋側止水栓６０とメーター７０とを取り付けた後で、分水栓３０の流路を開く。
分水栓３０は、開状態を維持して、土中に埋められる。
【００３７】
止水栓４０は、流入口４３から流出口４４への液体の流れを許しまた止めることをできる栓である。
通常は、止水栓４０は、流入口４３から流出口４４へ液体の流れを通す。
磁石を止水栓４０の上方に置くと、流入口４３から流出口４４への液体の流れを止めることをできる。
【００３８】
最初に、第一の実施形態に係る止水栓４０を、図を基に、説明する。  
図３は、本発明の第一の実施形態に係る止水栓の構造図である。
止水栓４０は、流入口から流出口への液体の流れを許しまた止めることをできるものであり、弁体４１と弁箱４２とで構成される。
弁体４１は、磁性部材４１ａと被覆部材４１ｂとで構成される。
磁性部材４１ａは、磁性体でできた部材である。磁性体は、鉄であってもよい。また、磁性体は、永久磁石であってもよい。
被覆部材４１ｂは、磁性部材４１ａを被覆する部材である。被覆部材４１ｂは、プラスチックでできていてもよい。プラスチックは、塩ビであってもよい。
【００３９】
弁箱４２は、空隙Ｈと流入路４５と流出路４６とを有する容器状のものである。
空隙Ｈは、上下方向に区画される上方空間Ｈ１と下方空間Ｈ２とを持ち、弁体４１を上方空間Ｈ１の側と下方空間Ｈ２の側との間で移動自在に案内して内部に収納する空間である。
流入路４５は、流入口４３を空隙Ｈに連通する流路である。
例えば、流入路４５は、流入口４３を空隙Ｈに流入用開口４７を通して連通する。
流入用開口４７は、空隙を形成する壁面に設けられる。
例えば、流入用開口４７は、上方空間Ｈ１を形成する壁面に設けられる。
流出路４６は、流出口４４を空隙Ｈに流出用開口４８を通して連通する流路である。
流出用開口４８は、上方空間Ｈ１を形成する壁面に設けられる。
例えば、流出用開口４８は、上方空間Ｈ１を形成する側壁面に設けられる。
【００４０】
弁体４１が下方空間Ｈ２の側に位置すると、液体を流入路４５から流出用開口４８を通して流出路４６へ流すことをできる。
弁体４１が上方空間Ｈ１の側に位置すると、弁体４１が流入路４５から流出用開口４８を通して流出路４６へ液体が流れるのを阻止する
例えば、弁体４１が上方空間Ｈ１の側に位置すると、弁体４１が流出用開口４８を塞ぐ。
側壁面の流出用開口４８を囲う環状部が、弁体４１の外形の一部に嵌まり合う弁座を形成してもよい。
例えば、弁体４１の下流側の面が平らであり、  側壁面の流出用開口４８を囲う環状部が平らである。
図３の（Ａ）は、弁体４１が下方空間Ｈ２の側に位置している様子を示している。
流体が、流入口４３を入り、流入路４５から流入用開口４７を通過して空隙Ｈに入り、空隙Ｈから流出用開口４８を通過して流出路４６を通過し、流出口４４から出る。
図３の（Ｂ）は、弁体４１が上方空間Ｈ１の側に位置している様子を示している。
弁体４１が、流体の圧力に押されて、上方空間Ｈ１を形成する側壁面に押し付けられる。弁体の下流側の面が、側壁面の流出用開口４８を囲う環状部に嵌まり合い、流出用開口４８を塞ぐ。
【００４１】
次に、第二の実施形態に係る止水栓を、図を基に、説明する。
図４は、本発明の第二の実施形態に係る止水栓の構造図である。
図５は、本発明の第二の実施形態に係る止水栓のＡ−Ａ断面図である。
止水栓４０は、流入口から流出口への液体の流れを止めることをできるものであり、弁体４１と弁箱４２とで構成される。
第二の実施形態に係る止水栓の弁体４１と弁箱４２の構成のうち、第一の実施形態にかかる止水栓の弁体４１と弁箱４２の構造と同じ部分の説明を省略し、異なる点のみを説明する。
【００４２】
弁体４１が下方空間Ｈ２の側に位置すると、液体を流入路４５から流出用開口４８を通して流出路４６へ流すことをできる。
弁体４１が上方空間Ｈ１の側に位置すると、弁体４１が流出用開口４８を塞ぐ。
側壁面の流出用開口４８を囲う環状部が、弁体４１の外形の一部に嵌まり合う凹んだ弁座を形成してもよい。
例えば、弁体４１の下流側の面が凸起し、側壁面の流出用開口４８を囲う環状部が凹んでいる。
例えば、弁体４１の下流側の面が円錐台形の形状をし、側壁面の流出用開口４８を囲う環状部が円錐台形の嵌まり合う凹みを形成する。
図３の（Ａ）は、弁体４１が下方空間Ｈ２の側に位置している様子を示している。
流体が、流入口４３を入り、流入路４５から流入用開口４７を通過して空隙Ｈに入り、空隙Ｈから流出用開口４８を通過して流出路４６を通過し、流出口４４から出る。
図３の（Ｂ）は、弁体４１が上方空間Ｈ１の側に位置している様子を示している。
弁体４１が、流体の圧力に押されて、上方空間Ｈ１を形成する側壁面に押し付けられる。弁体の下流側の凸起した部分が、側壁面の流出用開口４８を囲う環状部の凹んだ部分に嵌まり合い、流出用開口４８を塞ぐ。
【００４３】
給水配管５０は、分水栓３０と建屋側止水栓６０とを連通する配管である。
前述した止水栓４０が、給水配管５０の途中に設けられる。
止水栓４０が、給水配管５０の分水栓３０に近い個所に設けられる。
【００４４】
建屋側止水栓６０は、給水配管５０の建屋側に設けられる止水栓である。建屋側止水栓６０は、手動で開閉することをできる。
建屋側止水栓６０を開くと、建屋８０への給水がされる。
建屋側止水栓６０を閉じると、建屋８０への給水が停止する。
【００４５】
メーター７０は、建屋側止水栓６０に連通し、給水配管５０を流れて建屋８０に供給される水量を記録する計測器である。
【００４６】
次に、本発明の第三の実施形態に係る止水栓を、図を基に、説明する。
図６は、本発明の第三の実施形態に係る止水栓を用いた給水配管系の概念図である。
【００４７】
止水栓４０は、流入口から流出口への液体の流れを止めることをできるものであり、弁体４１と弁箱４２と補助部材１００とで構成される。
第三の実施形態に係る止水栓の弁体４１と弁箱４２との構造は、第一または第二の実施形態にかかる止水栓の弁体４１と弁箱４２の構造と同じであり、補助部材の有無のみが異なる。
【００４８】
補助部材１００は、上方に置かれた磁石の磁力を下方に位置する弁箱に伝えるための部材である。
補助部材１００は、柱状磁性部材１０１と柱状被覆部材１０２とで構成され、柱状磁性部材１０１の下端を前記弁箱の上方に位置し、かつ柱状磁性部材１０１の上端を地面または地面の近傍に位置して埋設可能である。
柱状磁性部材１０１は、磁性体でできた柱状の部材である。
例えば、柱状磁性部材１０１は、鉄でできた柱状の部材である。
また例えば、柱状磁性部材１０１は、鉄でできた複数のワイヤを束ねた柱状の部材である。
柱状被覆部材１０２は、柱状磁性部材１０１を被覆する部材である。
例えば、柱状被覆部材１０２は、樹脂製の部材である。
また例えば、柱状被覆部材１０２は、柱状磁性部材１０１を覆う樹脂製の柱であり、埋設された姿勢で上方の端面に止水栓の存在を示す標示が表されている。
【００４９】
次に、本発明の第二の実施形態に係る給水配管系を、図を基に、説明する。
図７は、本発明の第二の実施形態に係る給水配管系のライン系統図である。
【００５０】
第二の実施形態に係る給水配管系は、給水のための本管２０から建屋８０に給水をするための給水配管系であって、元栓１０と本管２０と分水栓３０と止水栓４０と給水配管５０と建屋側止水栓６０とメーター７０とで構成される。
第二の実施形態に係る給水配管系は、私道に並んだ建屋に公道に敷設された本管から給水するための配管系である。
元栓１０と本管２０と分水栓３０と止水栓４０と給水配管５０と建屋側止水栓６０とメーター７０との構成は、第一の実施形態に係る給水配管系のものと同じである。
【００５１】
分水栓３０が、公道の下に埋設された本管２０に取り付けられる。
【００５２】
止水栓４０が、私道に属する領域内にある給水配管５０の分水栓３０に近い箇所に取り付けられる。
場合によっては、止水栓４０が、公道に属する領域内にある給水配管５０の分水栓３０に近傍する箇所に取り付けられる。
【００５３】
給水配管５０が、分水栓３０から私道に沿って埋設される。
給水配管５０が、止水栓４０を取り付けられた箇所より下流側で分岐し複数の建屋８０へ各々配管される。
この様にするので、止水栓３０が給水を停止すると、私道に沿ってたった複数の建屋への給水を同時に停止することをできる。
【００５４】
次に、本発明の第一または第二の実施形態にかかる止水栓４０と給水配管系の作用を、図を基に、説明する。
図８は、本発明の実施形態に係る給水配管系のオフセット図である。図９は、本発明の実施形態に係る給水配管系の作用図その１である。図１０は、本発明の実施形態に係る止水栓の作用図その１である。
通常、分水栓３０と止水栓４０と建屋側止水栓６０とは、開いている。
図１０の（Ａ）は、弁体４１が下方空間Ｈ２の側へ位置し、給水が流入口から流出口へ流れる様子を示している。
給水配管５０が損傷すると、給水配管からの漏水を開始する。
給水配管からの漏水を停止し、給水配管５０に処置をするために、分水栓３０からの給水を停止する必要が生じる。
【００５５】
作業員が、オフセット図を基に止水栓の埋まっている位置を特定する。
図８は、オフセット図の一例を示している。
オフセット図は、分水栓と水道メーターと建屋側止水栓の位置を表す図面である。
例えば、分水栓箇所オフセットから申請地の境界線と道路の側溝の交点から分水栓までの距離ｂと申請地に対面する区画の境界線と道路の側溝との交点から分水栓までの距離ａと申請地側の側溝から本管までの距離ｃとの３つの距離を読み取り、その距離を用いて分水栓の埋まっている箇所を特定する。
ここで、申請地とは、給水配管工事をおこなう対象の建屋のある区画である。
止水栓は分水栓の近傍に位置しているので、作業員は止水栓４０の埋まっている位置を特定できる。
作業員が、磁石９０を止水栓４０の上方に位置する。
磁石９０は、永久磁石であっても、電磁石であってもよい。
磁石の磁力が作用するので、止水栓４０の弁体４１が下方空間Ｈ２の側から上方空間Ｈ１の側へ移動する
給水の圧力が、弁体４１を下流側へ押す。
弁体４１が、流出用開口４８を塞ぐので、給水配管５０への給水が停止する。
図１０の（Ｂ）は、弁体４１が上方空間Ｈ１の側へ位置し、流入口から流出口への給水が停止している様子を示している。
【００５６】
次に、本発明の第三の実施形態にかかる止水栓４０と給水配管系の作用を、図を基に、説明する。
図１１は、本発明の実施形態に係る給水配管系の作用図その２である。図１２は、本発明の実施形態に係る止水栓の作用図その２である。
通常、分水栓３０と止水栓４０と建屋側止水栓６０とは、開いている。
図１２の（Ａ）は、弁体４１が下方空間Ｈ２の側へ位置し、給水が流入口から流出口へ流れる様子を示している。
補助部材１００が、弁箱の上部に位置する。
補助部材１００の上端が、地面に露出する。
補助部材１００の上端には、止水栓４０を意味する標示が表されている。
給水配管５０が損傷すると、給水配管からの漏水を開始する。
給水配管からの漏水を停止し、給水配管５０に処置をするために、分水栓３０からの給水を停止する必要が生じる。
【００５７】
作業員が、磁石９０を  補助部材１００の上端の上方に置く。
磁石９０は、永久磁石であっても、電磁石であってもよい。
磁石９０が、補助部材１００の柱状磁性部材１０１の上端に位置する。
柱状磁性部材１０１が磁化する。
柱状磁性部材１０１の磁力が作用するので、止水栓４０の弁体４１が下方空間Ｈ２の側から上方空間Ｈ１の側へ移動する
給水の圧力が、弁体４１を下流側へ押す。
弁体４１が、流出用開口４８を塞ぐので、給水配管５０への給水が停止する。
図１２の（Ｂ）は、磁化した柱状磁性部材１０１の磁力より上方に引っ張られた弁体４１が上方空間Ｈ１の側へ位置し、流入口から流出口への給水が停止している様子を示している。
【００５８】
次に、本発明の実施形態に係る埋設方法を、図を基に、説明する。
図１３は、本発明の実施形態に係る埋設方法のフローチャート部である。
埋設方法は、給水のための本管から枝分かれした給水配管を地中に埋設するための方法であって、準備工程Ｓ１０と設置工程Ｓ１１と盛り土工程Ｓ１２と閉止工程Ｓ１３と復旧工程Ｓ１４とで構成される。
準備工程Ｓ１０は、流入口から流出口への液体の流れを許しまた止めることをできる止水栓を準備する工程である。
止水栓の構造は、前述したので、説明を省略する。
【００５９】
設置工程Ｓ１１は、本管から枝分かれした給水配管の途中に止水栓を設ける工程である。
地面を掘り起こして、本管２０を露出させる。
分水栓３０を本管２０に取り付ける。
止水栓４０を途中に設けた給水配管５０を分水栓３０に取り付ける。
建屋側止水栓６０とメーター７０を給水配管５０に取り付ける。
分水栓３０の弁体軸３３を回転させて、流路を開き、給水配管５０に給水する。
【００６０】
盛土工程Ｓ１２は、本管２０と分水栓３０と止水栓４０と給水配管５０とを地中に埋める工程である。
【００６１】
閉止工程Ｓ２３は、止水栓の埋まっている位置の上方に磁石を置く工程である。
磁石の磁力により、弁体が上方空間Ｈ１に位置し、開口を塞ぎ、給水配管５０の給水を停止する。
盛土工程Ｓ２３の途中に閉止工程Ｓ２３を実施してもよい。この様にすると、給水配管の給水を確実に停止できる。
【００６２】
復旧工程はＳ１４は、本管への給水を一端停止した後に本管への給水を再開する工程である。
止水栓の上方に置かれた磁石が取り除かれていることを確認して、本管への給水を一端停止すると、給水の圧力が低下する。給水の圧力が低下すると、止水栓４０の上方位置Ｈ１に位置する弁体４１を流出用開口４８の側へ押し付ける力が低下する。
弁体４１を押し付ける力が低下すると、弁体４１は上方空間Ｈ１から下方位置Ｈ２へ落下する。
本管への給水を再開する。給水が、流入路４５から空隙Ｈに入り、流出用開口４８を通過して流出路４６へ流れる。
【００６３】
次に、本発明の第一の実施形態に係る工事方法を、図を基に説明する。
図１４は、本発明の第一の実施形態に係る工事方法のフローチャート部である。
工事方法は、地中に埋設され給水のための本管から枝分かれして途中に流入口から流出口への液体の流れを許しまた止めることをできる止水栓を設けられた給水配管を処置するための方法であって、閉止工程Ｓ２０と処置工程Ｓ２１とで構成される。
【００６４】
閉止工程Ｓ２０は、止水栓の埋まっている位置の上方に磁石を置く工程である。
磁石の磁力により、弁体が上方空間Ｈ１に位置し、開口を塞ぎ、給水配管５０の給水を停止する。
給水の圧力が、弁体４１を下流側へ押し付け、弁体４１の下流側の箇所が吐出開港口４８の周囲の環状部に嵌まり合う。
【００６５】
処置工程Ｓ２１は、給水配管５０を処置する工程である。
例えば、給水配管５０の漏水部を処置して漏水しないようにする。
閉止工程Ｓ２０の途中に処理工程Ｓ２１を実施してもよい。この様にすると処理工程を実施中に確実に給水を停止できる。
処置工程Ｓ２１が完了すると、磁石を止水栓４０の上方から取り除く。
磁石の磁力が弁体４１に作用しなくなるので、弁体が上方空間Ｈ１の側から下方空間Ｈ２の側へ移動する。給水が、流入路４５から空隙Ｈに入り、流出用開口４８を通過して流出路４６へ流れる。
【００６６】
次に、本発明の第二の実施形態に係る工事方法を、図を基に説明する。
図１５は、本発明の第二の実施形態に係る工事方法のフローチャート部である。
工事方法は、地中に埋設され給水のための本管から枝分かれして途中に流入口から流出口への液体の流れを許しまた止めることをできる止水栓を設けられた給水配管を処置するための方法であって、閉止工程Ｓ２０と処置工程Ｓ２１と復旧工程Ｓ２２とで構成される。
【００６７】
閉止工程Ｓ２０は、止水栓の埋まっている位置の上方に磁石を置く工程である。
磁石の磁力により、弁体が上方空間Ｈ１に位置し、開口を塞ぎ、給水配管５０の給水を停止する。
給水の圧力が、弁体４１を下流側へ押し付け、弁体４１の下流側の箇所が吐出開港口４８の周囲の環状部に嵌まり合う。
【００６８】
処置工程Ｓ２１は、給水配管５０を処置する工程である。
例えば、給水配管５０の漏水部を処置して漏水しないようにする。
【００６９】
復旧工程Ｓ２２は、本管への給水を一端停止した後に本管への給水を再開する工程である。
止水栓の上方に置かれた磁石が取り除かれていることを確認して、本管への給水を一端停止すると、給水の圧力が低下する。給水の圧力が低下すると、止水栓４０の上方位置Ｈ１に位置する弁体４１を流出用開口４８の側へ押し付ける力が低下する。
弁体４１を押し付ける力が低下すると、弁体４１は上方空間Ｈ１から下方位置Ｈ２へ落下する。
本管への給水を再開する。給水が、流入路４５から空隙Ｈに入り、流出用開口４８を通過して流出路４６へ流れる。
【００７０】
以上説明したように本発明に係る止水栓は、その構成により、以下の効果を有する。
磁性部材４１ａを持った弁体４１を空隙Ｈのなかで上方空間Ｈ１と下方空間Ｈ２の間で上下方向に移動できる様にし、弁体４１が上方空間Ｈ１に位置すると、弁体４１が上方空間Ｈ１を形成する側壁面に設けられた流出用開口４８を塞ぐ様にしたので、弁体４１が重力により下方空間Ｊ２の側に位置すると液体を流すことをでき、弁体４１が磁力により上方空間Ｈ１の側に位置すると液体を止めることをできる。
また、側壁面の流出用開口４８を囲う環状部の凹んだ弁座が弁体４１の外形の一部に嵌まり合う様にしたので、弁体４１が磁力により上方空間Ｈ１の側に位置すると、給水の圧力により押される弁体４１の外形の一部が弁座に嵌まり合う様にしたので、液体を止めることをできる。
また、側壁面の流出用開口４８を囲う環状部の凹んだ弁座が、弁体４１の外形の一部に嵌まり合う様にしたので、弁体４１が磁力により上方空間Ｈ１の側に位置すると、給水の圧力により押される弁体４１の外形の一部が弁座に嵌まり合い、磁力が無くなっても、弁体４１が上方空間に留まり、液体を止めることをできる。
また、埋設した止水栓の弁箱の上に、下端を弁箱の上方に位置し、かつ上端を地面または地面の近傍に位置する様に柱状磁性部材１０１を設置するので、磁石を柱状磁性部材１０１の上端の近傍に置くと、柱状磁性部材１０１が磁化して弁体４１に磁力を作用させ、弁体４１が磁力により上方空間Ｈ１の側に位置する。
【００７１】
以上説明したように本発明に係るその止水栓を用いた給水配管系の埋設方法と工事方法とは、その構成により、以下の効果を有する。
磁性部材４１ａを持った弁体４１を空隙Ｈのなかで上方空間Ｈ１と下方空間Ｈ２の間で上下方向に移動できる様にしした止水栓４０を準備し、本管２０から枝分かれした給水配管５０の途中に止水栓４０を設け、本管２０と止水栓４１と給水配管５０とを地中に埋める様にしたので、弁体４１が重力により下方空間Ｈ２の側に位置すると給水をし、弁体４１が磁力により上方空間Ｈ１の側に位置すると、給水を止めることをできる給水配管系を埋設することをできる。
また、本管２０と止水栓４０と給水配管５０とを地中に埋める工事の途中で、止水栓４０の埋まっている位置の上方に磁石を置く様にするので、盛り土する際に給水配管の給水を止めることをできる。
また、磁性部材４１ａを持った弁体４１を空隙Ｈのなかで上方空間Ｈ１の側と下方空間Ｈ２の側の間で上下方向に移動できる様にした止水栓４０の埋まっている位置の上に磁石を置く様にしたので、弁体４１が磁力により上方空間Ｈ１の側に位置して給水配管５０の給水を止めることをできる。
また、止水栓４０の埋まっている位置の上に磁石を置いて給水配管を処置する様にしたので、給水配管の給水を止めて、給水配管を処置できる。
また、弁体４１が上方空間Ｈ１の側に位置しているときに、本管２０への給水を一端停止した後に本管２０への給水を再開する様にしたので、給水の圧力を受けて弁体４１が開口におしつけられている場合でも、給水の圧力が小さくなり、重力を受けた弁体４１が下方空間Ｈ２の側へ移動して給水配管が給水をする。
また、柱状磁性部材１０１を持った補助部材の上端に止水栓を意味する標示を表す様にしたので、止水栓の埋まっている位置を特定するのが容易であり、補助部材１００の上端に磁石を置くと、柱状磁性部材１０１が磁化して弁体４１に磁力を作用させ、弁体４１が磁力により上方空間Ｈ１の側に位置する。
【００７２】
本発明は以上に述べた実施形態に限られるものではなく、発明の要旨を逸脱しない範囲で各種の変更が可能である。
分水栓と止水栓とが別体であることを前提に説明したが、これに限定されず、例えば、分水栓と止水栓とが一体であってもよい。
また、流出用開口が側壁面に設けられると説明したが、これに限定されず、例えば、流出用開口が天井壁面に設けられても良い。
また、補助部材と弁箱とが別体である例で説明したがこれに限定されず、補助部材と弁箱とが一体構造であってもよい。
また、補助部材が真直ぐな形状である例で説明したがこれに限定されず、補助部材が屈曲可能であってもよい。
【図面の簡単な説明】
【００７３】
【図１】本発明の第一の実施形態に係る給水配管系のライン系統図である。
【図２】本発明の第一の実施形態に係る給水配管系の概念図である。
【図３】本発明の第一の実施形態に係る止水栓の構造図である。
【図４】本発明の第二の実施形態に係る止水栓の構造図である。
【図５】本発明の第二の実施形態に係る止水栓のＡ−Ａ断面図である。
【図６】本発明の第三の実施形態に係る止水栓を用いた給水配管系の概念図である。
【図７】本発明の第二の実施形態に係る給水配管系のライン系統図である。
【図８】本発明の実施形態に係る給水配管系のオフセット図である。
【図９】本発明の実施形態に係る給水配管系の作用図その１である。
【図１０】本発明の実施形態に係る止水栓の作用図その１である。
【図１１】本発明の実施形態に係る給水配管系の作用図その２である。
【図１２】本発明の実施形態に係る止水栓の作用図その２である。
【図１３】本発明の実施形態に係る埋設方法のフローチャート部である。
【図１４】本発明の第１の実施形態に係る工事方法のフローチャート部である。
【図１５】本発明の第２の実施形態に係る工事方法のフローチャート部である。
【図１６】従来の給水配管系の概念図である。
【符号の説明】
【００７４】
Ｈ  空隙
Ｈ１  上方空間
Ｈ２  下方空間
１０  元栓
２０  本管
３０  分水栓
３１  弁箱
３２  弁体
３３  弁体軸
３４  サドル
３４ａ上部サドル
３４ｂ下部サドル
４０  止水栓
４１  弁体
４１ａ磁性部材
４１ｂ被覆部材
４２  弁箱
４３  流入口
４４  流出口
４５  流入路
４６  流出路
４７  流入用開口
４８  流出用開口
５０  給水配管
６０  建屋側止水栓
７０  メーター
８０  建屋
９０  磁石
１００  補助部材
１０１  柱状磁性部材
１０２  柱状被覆部材
【図１】
2007182940.tif 000003
【図２】
2007182940.tif 000004
【図３】
2007182940.tif 000005
【図４】
2007182940.tif 000006
【図５】
2007182940.tif 000007
【図６】
2007182940.tif 000008
【図７】
2007182940.tif 000009
【図８】
2007182940.tif 000010
【図９】
2007182940.tif 000011
【図１０】
2007182940.tif 000012
【図１１】
2007182940.tif 000013
【図１２】
2007182940.tif 000014
【図１３】
2007182940.tif 000015
【図１４】
2007182940.tif 000016
【図１５】
2007182940.tif 000017
【図１６】
2007182940.tif 000018